(57)【要約】      （修正有）【課題】遊技機において、払出装置から払い出された払出球を上皿へ誘導する球通路をより合理的に構築する。【解決手段】遊技機は、払出装置１６１から払い出された払出球を上皿に導く球通路を有する。球通路は、上皿ユニットの裏面から遊技盤１０５側に延出された上皿通路部材１５６と、遊技盤１０５に取付けられ、上皿通路部材１５６と、払出装置１６１から払い出された払出球を上皿に向って送り出す球供給口１６１ａとをつなぐ連絡通路部材１５９とからなる。連絡通路部材１５９は、遊技盤１０５に設けられた前後方向に貫通する開口部１０５ａに収容される第１の通路領域１５９ａと、第１の通路領域１５９ａに連続して形成されるとともに、遊技盤１０５と球供給口１６１ａとを連結することによって当該球供給口１６１ａと遊技盤１０５との間隔を調整する間隔調整代として機能する第２の通路領域１５９ｂとを有する。【選択図】図１２
2010115508.tif 000002
【特許請求の範囲】
【請求項１】
遊技盤が装着される本体枠の後側に配置される払出装置から払い出された払出球を、前記本体枠の前面側に開閉可能に配置された上皿部の上皿に導く球通路を有する遊技機において、  前記球通路は、  前記上皿部の裏面に開口する払出球受口から後方に延出され、払出球を受けて前記上皿に導く上皿通路部材と、  前記遊技盤に取り付けられ、前記上皿通路部材と、前記払出装置から払い出された払出球を前記上皿に向けて送り出す球供給口とをつなぐ連絡通路部材とからなり、  前記連絡通路部材は、前記遊技盤に設けられた前後方向に貫通する開口部の内側に収納される第１の通路領域と、前記第１の通路領域に連続して形成されるとともに、前記遊技盤と前記球供給口とを連結することによって当該球供給口と遊技盤との間隔を調整する間隔調整代として機能する第２の通路領域とを有することを特徴とする遊技機。
【発明の詳細な説明】
【技術分野】
【０００１】
本発明は、パチンコ機、アレンジボール機等の遊技機における球通路の構築技術に関する。
【背景技術】
【０００２】
従来、パチンコ機には、払出装置から排出された賞球あるいは貸球等の払出球を上皿へ誘導する球通路を備えている。パチンコ機の前方から見て、払出装置は本体枠（前面枠あるいは内枠ともいう）の裏面側（後側）に配置され、一方、上皿は本体枠の前面側にヒンジ機構で開閉可能に装着されたガラス枠の前面に設けられるか、ガラス枠とは別に本体枠の前面側にヒンジ機構で開閉可能に装着された上皿装置の前面に設けられている。  そして、上記払出球の球通路は、本体枠に装着される遊技盤を貫通した状態で形成される。このため、遊技盤の下部領域には、球通路を構築するべく切欠きあるいは貫通孔などの開口部が設けられる。このような払出球の球通路の構築技術については、例えば特開２０００−４２２１７号公報（特許文献１）に開示されている。  特許文献１では、パチンコ機の本体枠側（裏機構板盤１２０）に払出装置（球排出ユニット２０２）から払い出された払出球を上皿に向けて案内する球通路（裏機構盤供給路２０）が設けられ、当該球通路の終端部が遊技盤の開口部後端に突合せ状に配置されている。また、遊技盤の前方に位置する上皿装置（上皿１０５）の後面から突出する球通路（上皿連絡路５０）が、遊技盤の上記開口部の前端に連通するように配置されている。つまり特許文献１によれば、遊技盤の開口部を、払出装置に連通する本体枠側の球通路と上皿側の球通路とをつなぐ中継通路として構成することが開示されている。
【０００３】
ところが、上述した特許文献１に記載の従来技術では、払出装置に連通する球通路の端部を遊技盤の裏面に直接突き当てるようにして配置する構成を採用している。このため、パチンコ機の本体枠の設計の際に、払出装置の配置位置について変更が必要になったとき、当該変更が容易にはできないという問題があった。それは、次の理由による。  一般に、払出装置はその保守等を考慮して本体枠の後側に配置される。また、払出装置から払い出された払出球を上皿に向けて案内する球通路は、本体枠の後側に配置される払出装置と、遊技盤の開口部に連通させる終端の球供給口とを結ぶように、所定の奥行きをもって、当該本体枠に一体に形成される。係る本体枠の設計過程において、一度決定した払出装置の位置を種々の理由により奥行き方向にずらす必要が生ずる場合がある。例えば、同時に設計を進めていたタンクやタンクレールの形状や配置位置の変更が生じた場合に、これらに合わせて払出球の供給経路を設定する払出装置についても、その奥行き方向の位置を変更する必要が生じる。また、本体枠に装着する遊技盤において、その裏面に突出して装着される役物装置、液晶表示装置，あるいは基板ボックス等の各種装置の突出寸法が、当初予定に対し変動した場合に、遊技盤の後に位置する本体枠（特許文献１では裏機構盤１２０が相当）を、遊技盤裏面に突出する装置に干渉しない範囲において変更する必要が生じる。このような場合には、払出装置の遊技盤裏面からの相対距離が変化するため、払出装置と前記球供給口まであるいは払出装置と遊技盤の開口までをつなぐ球通路の設計変更が必要になる。しかし、当該球通路は本体枠と一体に形成されるものであるため、球通路の設計変更は、すなわち本体枠の成形型の変更となる。球通路の設計変更に伴って、一般に大きく高価な本体枠の成形型を変更するのは、労力やコストの大きな負担になる。
【先行技術文献】
【特許文献】
【０００４】
【特許文献１】特開２０００−４２２１７号公報
【発明の概要】
【発明が解決しようとする課題】
【０００５】
本発明は、かかる点に鑑みてなされたものであり、遊技機において、払出装置から払い出された払出球を上皿へ誘導する球通路をより合理的に構築する技術を提供することを目的とする。
【課題を解決するための手段】
【０００６】
上記課題を達成するため、特許請求の範囲の請求項記載の発明が構成される。  請求項１に記載の発明によれば、遊技盤が装着される本体枠の後側に配置される払出装置から払い出された払出球を、本体枠の前面側に開閉可能に配置された上皿部の上皿に導く球通路を有する遊技機が構成される。なお「払出球」とは、賞球あるいは貸球がこれに該当する。また本発明における「遊技機」としては、典型的にはパチンコ機、アレンジボール機、雀球機等がこれに該当する。本発明における球通路は、上皿部の裏面に開口する払出球受口から後方に延出され、払出球を受けて上皿に導く上皿通路部材と、遊技盤に取り付けられ、上皿通路部材と、払出装置から払い出された払出球を上皿に向けて送り出す球供給口とをつなぐ連絡通路部材とから構成されている。なお「つなぐ」態様としては、一方の通路部材が他方の通路部材に嵌まり込む態様、あるいは通路部材相互が突合せ状に当接する態様のいずれも好適に包含する。  そして本発明においては、連絡通路部材は、遊技盤に設けられた前後方向に貫通する開口部の内側に収納される第１の通路領域と、当該第１の通路領域に連続して形成されるとともに、遊技盤と球供給通路部材とを連結することによって当該球供給通路部材と遊技盤との間隔を調整する間隔調整代として機能する第２の通路領域とを有する構成とされる。なお「前後方向に貫通する開口部」とは、前後方向に貫通する貫通孔のほか、貫通孔の下方もしくは側方に開口部分を有する切欠をも好適に包含する。また「開口部の内側に収納される」とは、第１の通路領域が開口部の壁面と密接状態で、あるいは開口部の壁面と隙間を置いた状態で収納される態様、また開口部における貫通方向の全長に亘って延在する態様、開口部における貫通方向の一部まで延在する態様、あるいは開口部を貫通して前方へ突出する態様のいずれも好適に包含する。  本発明における「球供給通路部材と遊技盤との間隔を調整する間隔調整代として機能する第２の通路領域」とは、第２の通路領域の通路方向長さを変更する態様をいい、典型的には、当該遊技機を製作する際に、第２の通路領域の通路方向長さを、遊技盤の裏面と払出装置から払い出された払出球を上皿に向けて送り出す球供給口との間の奥行き方向の間隔に対応した長さに設定する態様、あるいは第２の通路領域の通路方向長さが異なる複数種類の連絡通路部材を予め準備し、組付け時において遊技盤の裏面と球供給口との間の配置間隔に対応して連絡通路部材を使い分ける態様等のいずれも好適に包含する。  本発明の構成では、遊技盤に取り付けられる連絡通路部材によって球通路を構成したものであって、本体枠に一体に形成されるものではない。そのため、「背景技術」の欄において説明したように、本体枠の設計時において、払出装置の遊技盤裏面からの相対距離が変化した場合には、本体枠に比較して小型で安価な連絡通路部材の成形型を変更することで対応できる。その結果、従来のように球通路を含む大型で高価な本体枠の成形型を作り直す必要がなくなり、本体枠の設計変更に伴う労力やコストの負担を極めて小さく抑えることができる。
【発明の効果】
【０００７】
本発明によれば、払出装置から払い出された払出球を上皿へ誘導する球通路をより合理的に構築できる。
【発明を実施するための形態】
【０００８】
以下、本発明の実施の形態に係るパチンコ機につき図面を参照しつつ詳細に説明する。なお、説明の便宜上、遊技機において遊技者側を前、反対側を後として説明する。図１はパチンコ機１００の全体を示す斜視図である。パチンコ機１００は、本発明における「遊技機」の一例である。図１に示すように、パチンコ機１００は、概括的には、外枠１０１と、本体枠１０３と、遊技盤１０５と、ガラス枠１０７と、前板１０９からなる。本体枠１０３はパチンコ機１００の前方から見て左側縁部がヒンジ機構を介して外枠１０１に開閉自在に取り付けられる。遊技盤１０５は本体枠１０３に前方から嵌め込まれた状態で取り付けられる。ガラス枠１０７は、本体枠１０３の前面側に配置されるとともに、パチンコ機１００の前方から見て左側縁部がヒンジ機構を介して当該本体枠１０３に開閉自在に取付けられる。なおガラス枠１０７の下部側には上皿ユニット１０８が一体状に設けられ、当該ガラス枠１０７とともに開閉動作される。上皿ユニット１０８は、本発明における「上皿部」に対応する。  
【０００９】
図２および図３はそれぞれ遊技盤１０５の裏面側を示す斜視図である。図２に示すように、遊技盤１０５の裏面側における下縁領域には、遊技全体を制御する主制御基板を収容する主制御基板ボックス１２１と、当該主制御基板からの信号に基づいて表示装置（図示省略）、音声装置ないしランプ装置を駆動制御するための副制御基板を収容する副制御基板ボックス１２３が、主制御基板ボックス１２１を後側にして前後に重ね合わせた状態で装着されている。図３では主制御基板ボックス１２１が取り外された状態が示されている。  
【００１０】
図２および図３に示すように、遊技盤１０５の裏面にはボックス取付台１５１がネジ等によって止着され、当該ボックス取付台１５１の後面に副制御基板ボックス１２３が重ね合わせた状態で取り付けられる。なお副制御基板ボックス１２３のボックス取付台１５１に対する取り付けは、一端側（パチンコ機１００の裏面側から見て左側縁部）がヒンジ機構１２５を介して回動自在に取り付けられるとともに、他端側（右側縁部）が図示省略の爪部材と係止部材の弾性変形を用いた係止構造を介して係脱自在に係止される。  一方、主制御基板ボックス１２１は、図２に示すように、副制御基板ボックス１２３の後面に重ね合わせた状態で、一端側（パチンコ機１００の裏面側から見て左側縁部）がヒンジ機構１２７を介して副制御基板ボックス１２３に回動自在に取り付けられ、他端側（右側縁部）が図示省略の爪部材と係止部材の弾性変形を用いた係止構造を介して副制御基板ボックス１２３に係脱自在に係止される。  
【００１１】
図２に示すように、主制御基板ボックス１２１は、副制御基板ボックス１２３に対しパチンコ機１００の裏面側から見て少し右側にずらした状態で配置されており、これによって副制御基板ボックス１２３の左側縁部の後面領域が露出されている。そして副制御基板ボックス１２３の露出領域には、音量調整用のダイヤル（摘み）１２９が配置されており、当該ダイヤル１２９を回すことによって、スピーカーから出力される音量を連続的に調整することが可能とされる。  
【００１２】
次に副制御基板ボックス１２３の構造につき図４〜図８を参照して説明する。図４は副制御基板ボックス１２３を後側から見た斜視図であり、図５は副制御基板ボックス１２３を前側から見た斜視図であり、図６は副制御基板ボックス１２３の断
面図である。また図７はアンプ基板１３９を示す正面図、図８は遊技盤１０５に取り付けられた状態の副制御基板ボックス１２３を示す縦断面図である。  図６に示すように、副制御基板ボックス１２３は、パチンコ機１００の裏面側から見て長方形状に形成された１つのボックス本体１３１と、ボックス本体１３１の後面側に配置される後側基板カバー１３３と、ボックス本体１３１の前面側に配置される前側基板カバー１３５とから構成されている。  
【００１３】
後側基板カバー１３３は、ボックス本体１３１の後面形状と概ね同形状のボックス状に形成され、他方、前側基板カバー１３５は、ボックス本体１３１の前面形状の一部（下部側）の領域を占める横長のボックス状に形成されている。すなわち、後側基板カバー１３３は、ボックス本体１３１の後面全体を覆うように配置され、前側基板カバー１３５は、ボックス本体１３１の前面下部を覆うように配置される。かくして、副制御基板ボックス１２３は、図５あるいは図６に示すように、パチンコ機１００の側方から見た側面視において全体の外観形状が略Ｌ形をなすように形成されている。なお特に図示はしないが、後側基板カバー１３３および前側基板カバー１３５は、それぞれがボックス本体１３１に対し爪部材と係止部材との弾性変形を用いた係止構造あるいはネジ等の止着手段を介して着脱自在に止着される構成とされる。  
【００１４】
図６に示すように、後側基板カバー１３３内には、６層から成るプリント基板に各回路部品が実装され、表示装置、音声装置およびランプ装置の制御に用いられる副制御基板１３７が収容される。前側基板カバー１３５内には、２層から成るプリント基板に各回路部品が実装され、信号の増幅に用いられるアンプ基板１３９が収容される。アンプ基板１３９は、アンプ回路が設定された面を後向きにして前側基板カバー１３５内へと嵌め込まれ、当該前側基板カバー１３５内の前壁１３５ａの各隅に設定された４個のボス部１３５ｂのうち、対角線上の２個のボス部１３５ｂに設けた位置決めピン１３５ｃによって位置決めされ、他の２個のボス部１３５ｂにネジ１３５ｄによって止着されている。なお図６には、アンプ基板１３９に形成される回路部品１３９ａが二点鎖線によって示され、また図７にはアンプ基板１３９の取り付けに用いられる位置決め用のピン孔１３５ｅと、ネジ止用のネジ通し孔１３５ｆが示されている。  
【００１５】
副制御基板１３７は、表示装置を制御するための表示制御用回路、音声装置を制御するための音声制御用回路、およびランプ装置を制御するためのランプ制御回路を有し、当該回路の部品実装面側を後ろに向けた状態でボックス本体１３１内に嵌め込まれる。なお図６では、回路部品についてはその図示が省略されている。ボックス本体１３１は、概ね矩形の平面部の周縁部に後側に向って起立するフランジ部１３１ａを備えた浅底の皿形に形成されており、当該フランジ部１３１ａの内周には、一部を除いて基板取付用の段差面１３１ｂが設定されている。そしてボックス本体１３１内に嵌め込まれた副制御基板１３７は、フランジ部１３１ａの段差面１３１ｂに周縁部を突き当てられた状態で、フランジ部１３１ａの内周に嵌め込まれる後側基板カバー１３３の前端縁によって周縁部が段差面１３１ｂに押さえ込まれる。すなわち、副制御基板１３７は、ボックス本体１３１の段差面１３１ｂと、当該ボックス本体１３１に取り付けられる後側基板カバー１３３の前端縁によって前後方向から挟持された状態で収容保持される。なお副制御基板１３７に設けられるダイヤル１２９やコネクタ接続部１３７ａについては、図４あるいは図６に示すように、後側基板カバー１３３の外側に露出するように設定される。  
【００１６】
ボックス本体１３１内に配置された副制御基板１３７と、前側基板カバー１３５内に配置されたアンプ基板１３９は、ボックス本体１３１に後側基板カバー１３３を取り付ける前の段階で、電線１４１によって接続されるが、当該電線１４１の接続作業は、ボックス本体１３１に設けた作業用の開口部１３１ｃを通して行うことができる。なおボックス本体１３１および前後の基板カバー１３３，１３５は、内部を透視できるように、それぞれが透明あるいは半透明の合成樹脂（例えば、ポリカーボネート）で形成されている。  上記のように構成された副制御基板ボックス１２３は、図８に示すように、ボックス本体１３１の前面が遊技盤１０５の裏面に対し所定の空間Ｓを有するように、当該遊技盤１０１の裏面下部領域にボックス取付台１５１を介して配置される。このとき、前側基板カバー１３９が空間部における下方領域（ボックス本体１３１の前面下部）に位置するように配置される。  
【００１７】
上記のように、本実施の形態にかかる副制御基板ボックス１２３においては、１つのボックス本体１３１が、当該ボックス本体１３１を挟んで前後に配置される後側基板カバー１３３と前側基板カバー１３５の共通部材として構成されている。このため、２つの制御基板ボックスを単純に前後に重ね合わせて配置する従来の構成に比べて、実質的にボックス本体を１つ分減少することが可能となる。その結果、副制御基板１３７とアンプ基板１３９とを前後２段に収容する構成でありながら、副制御基板ボックス１２３が前後方向につきコンパクト化される。これによって副制御基板ボックス１２３を遊技盤の裏面に装着した状態において、２つの制御基板ボックスを前後に重ね合わせて配置する従来の構成に比べて、前後方向の配置スペースを縮減することができるとともに、２つの制御基板ボックスを前後に重ね合わせて配置する構成では必要なボックス相互間の係止構造が不要となる。なお本実施の形態では、副制御基板ボックス１２３の後面にさらに主制御基板ボックス１２１を重ね合わせて配置した場合が示されているが、主制御基板を含め、基板が前後３段に配置される構成であるにも拘わらず、遊技盤１０５の裏面からの後方への突出量が抑えられている。  
【００１８】
また、本実施の形態に係る副制御基板ボックス１２３においては、前後の基板カバー１３５，１３３につきボックス本体１３１を共通部材として用いる構成としたことによって、部品点数が少なく、構造も簡単となる。その結果、コストが低減されるとともに、組み付け工数も減少でき、更には廃棄部材が少なくリサイクルが容易になる。またボックス本体１３１および前後の基板カバー１３５，１３３を同じ材料で成形してあり、このため、リサイクルがより容易となる。  
【００１９】
本実施の形態においては、従来、別体であった、音声装置およびランプ装置の制御に用いられている副制御基板と、表示装置の制御に用いられている表示制御基板を、副制御基板１３７として１枚の制御基板にまとめた（一体化）構成とする一方、副制御基板に包含されていたアンプ回路につき、これをアンプ基板１３９として独立した１枚の基板としたものである。これによって表示、音声およびランプ制御につき１枚の副制御基板１３７にまとめた構成でありながら、当該副制御基板１３７の上下および左右方向（基板自体の平面方向）の広がりを極力抑え、所定の配置スペース内に配置することを可能としている。また表示制御回路を構成するには、６層から成るプリント基板が必要とされるが、回路構成が単純なアンプ回路については調達コストの安価な２層構造で済むため、アンプ基板として別体構造とすることによって、副制御基板１３７をアンプ回路をも含めた一枚物で形成する場合に比べてコストを低減することができる。  
【００２０】
また副制御基板１３７とアンプ基板１３９とをつなぐ電線１４１は、ボックス本体１３１に形成された開口部１３１ｃを通して前後の基板カバー１３３，１３５内に配置されている。このため、副制御基板ボックス１２３内において、電線１４１の取り回しを行うことができるとともに、電線１４１がボックス内に配置されることから、電線１４１を保護する上で有効となる。なおボックス本体１３１の開口部１３１ｃを、アンプ基板１３９が通り抜けることが可能な大きさに設定したときは、当該開口部１３１ｃを通してアンプ基板１３７を前側基板カバー１３５内に収容し固定することが可能となる。従って、そのときは、ボックス本体１３１と前側カバー１３５とを一体に成形してもよい。  
【００２１】
また副制御基板ボックス１２３においては、図８に示すように、ボックス本体１３１を遊技盤１０５の裏面に対しボックス取付台１５１を介して所定の空間Ｓを設けた状態で支持する構成とし、そして当該空間の下寄り位置（すなわち、ボックス本体１３１の前面下部側）に前側基板カバー１３９を配置する構成としている。このため、遊技盤１０５の裏面とボックス本体１３１間に形成される空間Ｓのうち、前側基板カバー１３９の配置スペース以外のスペースＳを別部品、例えば表示装置や役物等の後部を配置するスペースとして有効に活用することが可能となる。  
【００２２】
次に副制御基板ボックス１２３を支持するボックス取付台１５１の構造につき、図２、図３、図８〜図１４を参照して説明する。図９はパチンコ機１００の正面図、図１０は図９におけるＸ−Ｘ線断面図、図１１は図１０におけるＸＩ−ＸＩ線断面図である。図１２は図１１のＡ部拡大図である。図１３はボックス取付台１５１を前面側から見た斜視図、図１４はボックス取付台１５１を裏面側から見た斜視図である。  ボックス取付台１５１は、図２、図３、図８、図１２〜図１４に示すように、本実施の形態では、概ね箱形に形成された合成樹脂品であり、図１３に示すように、遊技盤１０５の裏面と対向する前面側には、遊技盤１０５の前面側から入賞口を経て遊技盤１０５の裏面側へと流れた入賞球を集めるための球集合通路１５３を備えている。球集合通路１５３は、ボックス取付台１５１の前面領域における一方の側（図１３の右側）から中央側に向って下り階段状に形成された通路形成板１５３ａと、他方（図１３の左側）から中央側に向って下り傾斜状に形成された通路形成板１５３ｂとにより形成されている。遊技盤１０５の裏面側へと流れた入賞球は、通路形成板１５３ａ，１５３ｂ上を転動した後、入賞球排出口１５３ｃから下方へ落下して図示省略の島側設備によって回収されるようになっている。なお通路形成板１５３ａ，１５３ｂは、ボックス取付台１５１の前面領域から前方に向って所定の幅で張り出しており、これによりボックス取付台１５１の前後方向の剛性が高められている。  
【００２３】
またボックス取付台１５１は、一端部、すなわちパチンコ機１００の裏面側から見て右端下部（図１３では図示左側、図１４では図示右側）に払出球誘導通路１５７を一体に備えている。この払出球誘導通路１５７は、払出装置１６１（図１０〜図１２に一部を示す）から払い出された賞球および貸球等の払出球を上皿１５５（図９参照）に向けて送り出す球供給口１６１ａと、上皿ユニット１０８に設けられる上皿筒部１５６とをつなぐべく設けられる。なお払出装置１６１はパチンコ機１００の裏面側から見て図１に示した本体枠１０３の裏面側における右側縁部に配置されている。また上皿１５５はガラス枠１０３の下部に一体状に配置された上皿ユニット１０８の前面に設けられている。本実施の形態では、上皿ユニット１０８がガラス枠１０３に対して一体化された構成の場合で示してあるが、上皿ユニット１０８はガラス枠１０３から独立した状態で本体枠１０３にヒンジ機構を介して開閉自在に取り付けられる構成であってもよい。  
【００２４】
図３および図１０〜図１３に示すように、払出球誘導通路１５７は、ボックス取付台１５１に一体に形成された矩形の筒体１５９によって構成されており、払出装置１６１側の球供給口１６１ａと上皿ユニット１０８の上皿筒部１５６とをつなぐ連絡通路である。筒体１５９は、本発明における「連絡通路部材」に対応する。筒体１５９は、パチンコ機１００の前面側から見て遊技盤１０５の左側の下端部を切り欠いて形成された矩形の切欠１０５ａ内に後方（裏面側）から嵌め込んで装着される。切欠１０５ａは、本発明における「開口部」に対応する。  筒体１５９は、その後側部分が遊技盤裏面より後方に所定長さで突出
するとともに、後側開口端部が本体枠１０３側に設けられる払出装置１６１の球供給口１６１ａに対向状に連接されている。筒体１５９の前側部分は、遊技盤１０５の切欠１０５ａ内に挿入されている。すなわち、本実施の形態における筒体１５９は、遊技盤１０５の切欠１０５ａ内に収納される内側筒部１５９ａと、遊技盤１０５の裏面側に突出した状態で配置される外側筒部１５９ｂとを有する構成とされる。内側筒部１５９ａは、本発明における「第１の通路領域」に対応し、外側筒部１５９ｂは、本発明における「第２の通路領域」に対応する。筒体１５９の内側筒部１５９ａと外側筒部１５９ｂとは、互いに連続している。そして内側筒部１５９ａは、切欠１０５ａの形状に対応した形状、すなわち周方向の壁面のうちの底面側を切り欠いた概ねコ字形（図１３参照）に形成されている。一方、外側筒部１５９ｂは、周方向の全てに壁面を有する矩形の筒状（図１４参照）に形成されている。また内側筒部１５９ａの左右の壁面間隔は、外側筒部１５９ｂの左右の壁面間隔よりも広く形成され、内側筒部１５９ａの上壁面と外側筒部１５９ｂの上壁面とは面一に形成されている。  
【００２５】
上皿ユニット１０８の前面側には上皿１５５が設けられている。また上皿ユニット１０８の裏面側には、払出球を上皿１５５に導く上皿筒部１５６が設けられている。上皿筒部１５６は、本発明における「上皿通路部材」に対応する。上皿筒部１５６は、図１０〜図１２に示すように、上皿ユニット１０８の裏面に開口する払出球受口１５５ａから後方、すなわち遊技盤１０５側に向って所定長さで突出される上下左右の側壁を有する矩形の筒状部材であり、ガラス枠１０７とともに上皿ユニット１０８を本体枠１０３側へヒンジ機構を回動支点にして閉じた状態では、その後端部が筒体１５９の内側筒部１５９ａの内側に入り込むように挿入されて筒体１５９に連接する構成とされる。なお上皿筒部１５６は、筒体１５９の内側筒部１５９ａ内に挿入された状態では、その内周面が内側筒部１５９ａの内周面、すなわち上壁面および左右の壁面に対して所定の隙間を有するように設定されている。また上皿筒部１５６の後端部が内側筒部１５９ａと外側筒部１５９ｂとを接続する接続面１５９ｃに近接するように設定されている。なお接続面１５９ｃは、内側筒部１５９ａと外側筒部１５９ｂとを一体に連接するべく通路方向と交差する径方向に所定長さで延在する。  
【００２６】
上記のように、本実施の形態に係るボックス取付台１５１は、遊技盤１０５の前面側から入賞口を経て遊技盤１０５の裏面側へと流れた入賞球を集めるための球集合通路１５３と、払出装置１６１から払い出される賞球および貸球を上皿１５５へと誘導するための払出球誘導通路１５７とを一体に備えており、本来の基板ボックスの取付台としての構成に加え、球通路構成部材を兼用する構成である。上述の上皿筒部１５６および払出球誘導通路１５７によって、本発明における「球通路」が構成されており、当該球通路は、全体としてその底面が払出装置１６１側から上皿１５５にかけて前下がりの傾斜状に形成されている。  
【００２７】
上述したように、本実施の形態においては、払出装置１６１の球供給口１６１ａと上皿１５５の上皿筒部１５６間に払出球誘導通路１５７を構成する筒体１５９を設けたものであり、これによって払出装置１６１から排出される賞球および貸球を上皿１５５へと円滑に誘導することができる。  本実施の形態における筒体１５９は、外側筒部１５９ｂを、遊技盤１０５と払出装置１６１側の球供給口１６１ａとを連結することによって当該球供給口１６１ａと遊技盤１０５との間隔を調整する間隔調整代として機能する領域として備えている。したがって、本体枠１０３の設計時において、払出装置１６１の遊技盤１０３の裏面からの相対距離が変化した場合には、外側筒部１５９ｂの遊技盤裏面からの突出長さ（通路方向長さ）を、遊技盤１０５と払出装置１６１の球供給口１６１ａとの間の間隔（奥行き方向の寸法）に対応して調整（設定）することによって当該間隔の変化に対して簡単に対応することができる。すなわち、本実施の形態においては、遊技盤１０５に取り付けられる筒体１５９によって球通路を構成したものであって、本体枠１０３に一体に形成されるものではない。そのため、本体枠１０３の設計時において、払出装置１６１の遊技盤１０３の裏面からの相対距離が変化した場合には、本体枠１０３に比較して小型で安価な筒体１５９を含むボックス取付台１５１の成形型を変更することで対応できる。その結果、従来のように球通路を含む大型で高価な本体枠の成形型まで作り直す必要がなくなり、本体枠の設計変更に伴う労力やコストの負担を極めて小さく抑えることができる。  
【００２８】
また本実施の形態では、間隔調整代として機能する外側筒部１５９ａは、筒状に形成されるとともに、遊技盤１０５の裏面から後方に向って所定長さで突出され、その突出端部が球供給口１６１ａに連接される構成としている。かかる構成とすることで、外側筒部１５９ａを、球供給口１６１ａと遊技盤１０５の切欠１０５ａのそれぞれの位置に合うような筒形状に形成することによって、奥行き（前後）方向のみならず上下左右方向についても調整できる。  
【００２９】
また本実施の形態においては、ボックス取付台１５１に入賞球を集める球集合通路１５３を構成する通路形成板１５３ａ，１５３ｂを一体に備える構成に加え、当該ボックス取付台１５１に前後方向に延びる筒体１５９を一体に設けている。このため、当該通路形成板１５３ａ，１５３ｂおよび筒体１５９が補強材として機能し、ボックス取付台１５１の剛性をアップすることができる。またボックス取付台１５１に筒体１５９を一体に設けてあるため、筒体１５９を別部品とする場合に比べて部品点数を少なくできるとともに、筒体１５９をネジ等で止着する作業が不要となり、取り付け作業工数が減少し、組付け作業性を向上できる。  
【００３０】
次に副制御基板ボックス１２３と主制御基板ボックス１２１間に介在されるシールド板１７１の取付構造につき、図１５および図１６を参照して説明する。図１５はシールド板１７１の取付構造を示す裏面図であり、図１６は図１５のXVI−XVI線断面図である。前述したように、主制御基板ボックス１２１は、副制御基板ボックス１２３の後面に重ね合わせた状態で配置されるとともに、一端側（パチンコ機１００の裏面側から見て左側縁部）がヒンジ機構１２７を介して水平回動自在に取り付けられ、他端側において図示省略の爪部材と係止部材との弾性変形を利用した係止構造によって係脱自在に係止される構成とされる（図２参照）。  
【００３１】
上記のような２つの制御基板ボックス１２１，１２３が前後に重ね合わせて配置される構造において、本実施の形態では、制御基板ボックス１２１，１２３内に収容された基板を電磁波から保護するべく両基板ボックス１２１，１２３の合わせ面にシールド板１７１が介在されている。このシールド板１７１は、両ボックス１２１，１２３の合わせ面を覆い得る平面広さを有する金属製の薄板からなり、一端部（パチンコ機１００の裏面側から見て左側縁部）が主制御基板ボックス１２１と共通のヒンジ機構１２７を介して水平回動自在とされている。  
【００３２】
すなわち、図１５および図１６に示すように、副制御ボックス１２３に上下２個のヒンジピン１２７ａが同一軸線上に設けられ、これら２個のヒンジピン１２７ａに対し、主制御基板ボックス１２１に設けた上下２個の筒部１２１ａと、シールド板１７１に設けた上下２個の筒部１７１ａが個々に回動自在に取り付けられている。これにより、主制御ボックス１２１を後方へ回動させて副制御基板ボックス１２３から離間させた状態では、シールド板１７１は、主制御基板ボックス１２１および副制御基板ボックス１２３のいずれに対しても回動することができる。このため、主制御基板ボックス１２１の前面および副制御基板ボックス１２３の後面のいずれをも外部から視認することが可能となる。  
【００３３】
一般に基板ボックスは、回路基板の不正な改造あるいは交換といった行為を抑制するために、透明な合成樹脂によって形成され、外部からボックス内を透視して回路基板を視認できるようにしている。ところが、主制御基板ボックス１２１と副制御基板ボックス１２３の合わせ面にシールド板１７１を介在する構造において、例えばシールド板１７１を主制御基板ボックス１２１の前面にネジによって止着する構成を採用した場合、主制御基板ボックス１２１内部を前面側から視認する際に、シールド板１７１の取り外しが面倒で時間が掛かることとなる。  
【００３４】
本実施の形態においては、上記の如く、シールド板１７１を主制御基板ボックス１２１と副制御基板ボックス１２３の双方に相対回動できるように取り付ける構成を採用したので、上記のような主制御基板ボックス１２１あるいは副制御基板ボックス１２３に対する外部からの観察作業に対し即座に対応することができる。またヒンジ機構１２７を構成するに際し、主制御基板ボックス１２１とシールド板１７１の回動支点を共通化、すなわちヒンジピン１２７ａを共通部品とする構成のため、部品点数が低減し、構造の簡素化に有効となる。  
【００３５】
なお上述した実施の形態では、パチンコ機１００について説明したが、本発明はパチンコ機１００に限られるものではなく、例えばアレンジボール機、スロット機、パチンコ球を使用してスロット遊技を行う遊技機等、その他の遊技機であっても適用することが可能である。  またボックス本体１３１を挟んで前後に基板カバー１３３，１３５を配置する構成につき、副制御基板ボックス１２３を例にして説明したが、副制御基板ボックス１２３以外の基板ボックスに適用してもよい。また副制御基板ボックスの露出領域に配置されるダイヤル１２９（図４参照）は、音量調整用に限らない。またシールド板１７１は、後側に配置される主制御基板ボックス１２１に対し分離可能に連接されていればよく、前側の副制御基板ボックス１２３に対しては、直接に連接関係を有しない構成としてもよい。その場合、シールド板１７１は、ヒンジ機構１２７に変わる簡易連接手段として、例えば面ファスナや両面粘着テープ（シートの両面に粘着剤が塗布されたもの）を採用してもよい。またシールド板１７１の適用箇所は、副制御基板ボックス１２３と主制御基板ボックス１２１の合わせ面に限らず、他の基板ボックスの合わせ面でもよい。  
【００３６】
また上述した実施の形態において、遊技機１００の裏面側に複数の基板ボックスを配置する場合において、下記の如く構成することが可能である。  「遊技盤を本体枠の前方から当該本体枠の開口部に装着する際に、当該装着動作に基づいて互いに係合することによって前記遊技盤側の電気接点と前記本体枠側の電気接点とを接続する一対のコネクタを備えた遊技機であって、  前記本体枠の裏面における開口部の下部周縁に、第１の制御基板を収容するとともに当該第１の制御基板を外部から視認可能な第１の制御基板ボックスを配置し、  前記遊技盤の裏面における下部領域に、第２の制御基板を収容するとともに当該第２の制御基板を外部から視認可能な第２の制御基板ボックスを配置し、  前記本体枠における前記開口部の下部周縁には前記本体枠側コネクタを配置し、前記本体枠側コネクタと前記第１の制御基板ボックスの端部に設けたコネクタ端子とを電気配線によって接続したことを特徴とする遊技機。」  
【００３７】
上記のように、第１の制御基板ボックスを本体枠の裏面における開口部の下部周縁に配置し、第２の制御基板ボックスを遊技盤の下部領域に配置したときは、それら両基板ボックスは互いに近接した状態での配置となる。このため、制御基板に対する不正な改造あるいは交換といった不正を発見するための検査時において、それら両ボックスを一度に視認でき、視認性を向上させることができる。  またコネクタは本体枠の開口部の下部周縁に配置したことにより、第１の制御基板ボックスに対して近接する。このため、コネクタと第１の制御基板ボックスとの接続に用いられる電気配線を短くできる。電気配線は、コ
ネクタと第１の制御基板ボックスとを接続する際、第１の制御基板ボックスおよび第２の制御基板ボックスに被らないように配置することによって制御基板ボックスに関する外部からの視認性を確保できる。その結果、点検作業時において、第１および第２の制御基板につき、外部からの視認による、あるいは照合装置による不正のチェック等を容易に行うことが可能となり、制御基板に関する不正行為を抑止できる。なお「被らないように配置」とは、電気配線が第１制御基板ボックスおよび第２制御基板ボックスのいずれにも掛からない状態をいう。すなわち、制御基板の不正な改造あるいは交換を防止するという観点から、電気配線が第１制御基板ボックスおよび第２制御基板ボックスに被さらず、それらボックスの内部が外部からすっきり見える状態を指す。  また本実施の形態では、筒体１５９につき、遊技盤１０５と払出装置１６１の球供給口１６１ａの配置間隔を調整する領域として備えられる外側筒部１５９ｂが、遊技盤１０５の裏面から後方へ大きく突出している場合で図示しているが、その突出量については、遊技盤１０５と払出装置１６１の球供給口１６１ａの配置間隔に対応して適宜定められるものである。  また本実施の形態では、連絡通路部材としての筒体１５９が、球集合通路１５３を備え、基板ボックスの取付台であるボックス取付台１５１に一体に形成される構成について説明したが、筒体１５９を当該ボックス取付台１５１とは別個に形成して遊技盤１０５の裏面に取り付ける構成であってもよい。  
【００３８】
さらに、本発明の趣旨により、下記に述べる各種の態様を構成することが可能である。（態様１）  「請求項１に記載の遊技機であって、  前記連絡通路部材の第２の通路領域は、筒状に形成されるとともに、前記遊技盤の裏面から後方に向って所定長さで突出され、その突出端部が前記球供給口に連接されていることを特徴とする遊技機。」  
【００３９】
態様１に記載の発明によれば、請求項１に記載の遊技機における連絡通路部材の第２の通路領域は、筒状に形成されるとともに、遊技盤の裏面から後方に向って所定長さで突出され、その突出端部が球供給口に連接される構成とされる。かかる構成によれば、第２の通路領域を、球供給口と遊技盤の開口部のそれぞれの位置に合うような筒形状に形成することによって、奥行き（前後）方向のみならず上下左右方向についても調整できる。  
【００４０】
（態様２）  「請求項１または態様１に記載の遊技機であって、  前記遊技盤の裏面に基板ボックスを支持するボックス取付台が装着され、当該ボックス取付台に前記連絡通路部材が一体に形成されていることを特徴とする遊技機。」  
【００４１】
態様２に記載の発明によれば、請求項１または態様１に記載の遊技機において、遊技盤の裏面に基板ボックスを支持するボックス取付台が装着され、当該ボックス取付台に連絡通路部材が一体に形成された構成とされる。ボックス取付台に連絡通路部材を一体に設けることで、部品点数を削減できるとともに、連絡通路部材を遊技盤に対し、例えばネジによる固定作業が不要となり、組付け作業性を向上できる。  
【００４２】
（態様３）  「態様２に記載の遊技機であって、  前記ボックス取付台は、前記連絡通路部材を一体に有することに加え、前記遊技盤の前面側から入賞口を経て当該遊技盤の裏面側へと流れる入賞球を集める球集合通路を一体に備えていることを特徴とする遊技機。」  
【００４３】
態様３に記載の発明によれば、態様２に記載の遊技機におけるボックス取付台は、連絡通路部材を一体に有することに加え、遊技盤の前面側から入賞口を経て当該遊技盤の裏面側へと流れる入賞球を集める球集合通路を一体に備えている。本発明によれば、連絡通路部材および球集合通路がボックス取付台の補強材として機能することになり、当該ボックス取付台の剛性をアップすることができる。
【図面の簡単な説明】
【００４４】
【図１】パチンコ機の全体を示す斜視図である。
【図２】遊技盤を裏面側から見た斜視図である。
【図３】同じく遊技盤を裏面側から見た斜視図である。
【図４】副制御基板ボックスを遊技盤の裏面側から見た斜視図である。
【図５】副制御基板ボックスを遊技盤の表面側から見た斜視図である。
【図６】副制御基板ボックスの断面図である。
【図７】アンプ基板を示す正面図である。
【図８】遊技盤に取り付けられた状態の副制御基板ボックスを示す縦断面図である。
【図９】パチンコ機の正面図である。
【図１０】図９におけるＸ−Ｘ線断面図である。
【図１１】図１０におけるＸＩ−ＸＩ線断面図である。
【図１２】図１１のＡ部拡大図である。
【図１３】ボックス取付台を前面側から見た斜視図である。
【図１４】ボックス取付台を裏面側から見た斜視図である。
【図１５】シールド板の取付構造を示す図である。
【図１６】図１５のXVI−XVI線断面図である。
【符号の説明】
【００４５】
１００  パチンコ機（遊技機）１０１  外枠１０３  本体枠１０５  遊技盤１０５ａ  切欠（開口部）１０７  ガラス枠１０８  上皿ユニット１０９  前板１２１  主制御基板ボックス１２１ａ  筒部１２３  副制御基板ボックス１２５  ヒンジ機構１２７  ヒンジ機構１２７ａ  ヒンジピン１２９  ダイヤル１３１  ボックス本体１３１ａ  フランジ部１３１ｂ  段差面１３１ｃ  開口部１３３  後側基板カバー１３５  前側基板カバー１３５ａ  前壁１３５ｂ  ボス部１３５ｃ  位置決めピン１３５ｄ  ネジ１３５ｅ  ピン孔１３５ｆ  ネジ通し孔１３７  副制御基板１３７ａ  コネクタ接続部１３９  アンプ基板１３９ａ  回路部品１４１  電線１５１  ボックス取付台１５３  球集合通路１５３ａ  通路形成板１５３ｂ  通路形成板１５３ｃ  入賞球排出口１５５  上皿１５５ａ  払出球受口１５６  上皿筒部（上皿通路部材）１５７  払出球誘導通路１５９  筒体（連絡通路部材）１５９ａ  内側筒部（第１の通路領域）１５９ｂ  外側筒部（第２の通路領域）１５９ｃ  接続面１６１  払出装置１６１ａ  球供給口１７１  シールド板１７１ａ  筒部
【図１】
2010115508.tif 000003
【図２】
2010115508.tif 000004
【図３】
2010115508.tif 000005
【図４】
2010115508.tif 000006
【図５】
2010115508.tif 000007
【図６】
2010115508.tif 000008
【図７】
2010115508.tif 000009
【図８】
2010115508.tif 000010
【図９】
2010115508.tif 000011
【図１０】
2010115508.tif 000012
【図１１】
2010115508.tif 000013
【図１２】
2010115508.tif 000014
【図１３】
2010115508.tif 000015
【図１４】
2010115508.tif 000016
【図１５】
2010115508.tif 000017
【図１６】
2010115508.tif 000018